(57)【要約】【課題】複数の領域に分割された画像を記録する際に分割した画像の一部に記録できないフレーム（コマ落ち）が発生しても、再生時にはコマ落ちによる時間軸のずれの無い画像とする記録再生装置を提供する。【解決手段】複数の分割画像にタイムコードを付するタイムコード付加手段５と、１つの画像から圧縮した画像を生成する画像生成手段４と、複数の分割画像に付されているタイムコードを検出するタイムコード検出部１１と、タイムコードが検出されない場合には、分割画像が欠落していると判断する判断手段１２と、判断手段１２で欠落分割画像があると判断された場合には、欠落している分割画像を画像生成手段４で生成された画像の中の欠落分割画像と同じ大きさの画像にして置換する置換手段１４と、置換された画像と共に分割画像を再生する再生部１５と、を備える。  【選択図】      図１
2007172789.tif 000002
【特許請求の範囲】
【請求項１】
１つの画像から分割された複数の分割画像を記録媒体に記録した際、前記記録された前記複数の分割画像の中に欠落画像がある場合に、前記欠落画像を他の画像に置換して再生する記録再生装置において、
前記記録媒体に記録する際に前記複数の分割画像にタイムコードを付するタイムコード付加手段と、
前記１つの画像から圧縮した画像を生成する画像生成手段と、
前記記録媒体に記録されている前記複数の分割画像に付されている前記タイムコードを検出するタイムコード検出部と、
前記タイムコード検出部で検出したタイムコードが一致しない場合には、前記分割画像が欠落していると判断する判断手段と、
前記判断手段で欠落している前記分割画像があると判断された場合には、前記欠落している前記分割画像を前記画像生成手段で生成された前記圧縮した画像の中の前記欠落している前記分割画像と同じ画像を前記欠落している前記分割画像の大きさまで拡大して置換する置換手段と、
前記置換された画像と共に前記分割画像を再生する再生部と、
を備えたことを特徴とする記録再生装置。
【請求項２】
１つの画像から分割された複数の分割画像を記録媒体に記録した際、前記記録された前記複数の分割画像の中に欠落画像がある場合に、前記欠落画像を他の画像に置換して再生する記録再生方法において、
前記記録媒体に記録する際に前記複数の分割画像にタイムコードを付し、
前記１つの画像から圧縮した画像を生成し、
前記記録媒体に記録されている前記複数の分割画像に付されている前記タイムコードを検出し、
前記タイムコードが一致しない場合には、前記分割画像が欠落していると判断し、
前記欠落している前記分割画像があると判断された場合には、前記欠落している前記分割画像を前記画像の中の前記欠落している前記分割画像と同じ画像を前記欠落している前記分割画像の大きさまで拡大して置換し、
前記置換された圧縮した画像と共に前記分割画像を再生することを特徴とする記録再生方法。
【発明の詳細な説明】
【技術分野】
【０００１】
本発明は記録再生装置及び記録再生方法に係り、特に高解像度画像を複数に分割して並列に伝送して記録を行う際に生じる画像のフレーム欠落（コマ落ち）を再生時に修正する記録再生装置及び記録再生方法に関する。
【背景技術】
【０００２】
従来、ハイビジョン（以下ＨＤＴＶとする）以上の画素数を有する高解像度画像を、１画面として扱う記録再生装置では、１画面分の画像に相当する画像信号を、このまま１つの伝送路で伝送するのには伝送量が多く、専用伝送路の確保が困難なため、複数のＨＤＴＶ相当の画像信号に分割してＨＤＴＶの伝送路を複数に並列に使用して伝送し、同時に記録、再生も複数に分割して行い、表示時に１画面に戻して再生していた。
図９に、この従来の記録再生装置の概要を示す。
【０００３】
図９に示す記録再生装置１００は、撮像装置１０１と、録画装置１０２と、記録媒体１０２ａ〜記録媒体１０２ｄと、再生装置１０３と、プロジェクタ１０４と、から構成される。
更に、撮像装置１０１は、図１０に示すように撮像部１０５と、４分割画像生成部１０６と、からなる。
【０００４】
撮像装置１０１は、撮像部１０５により被写体の光像を高解像度画像（例えばＨＤＴＶ４画面相当）に光電変換したのち４分割画像生成部１０６により、この高解像度画像を４分割してそれぞれがＨＤＴＶ１画面分に相当する画像信号として生成し出力する。
録画装置１０２は、４台のＨＤＴＶ画像用録画装置からなり、磁気ディスク或いは光ディスク等の記録媒体１０２ａ〜記録媒体１０２ｄへそれぞれＨＤＴＶ１画面分の画像信号を録画する。
再生装置１０３は、録画装置１０２で画像信号が録画された記録媒体１０２ａ〜記録媒体１０２ｄを装着して、この記録媒体１０２ａ〜記録媒体１０２ｄに録画された画像信号を同時に再生する。
プロジェクタ１０４は、再生装置１０３で再生された４つの画像信号を入力し合成して１枚の高解像度画像として表示する。
【０００５】
次に、この従来の記録再生装置１００の動作について説明する。
図９に示すように、撮像装置１０１において、被写体の光像を高解像度画像（例えばＨＤＴＶ４画面相当の画素数横３８４０×縦２１６０）の画像信号に光電変換したのち４分割してそれぞれがＨＤＴＶ１画面分相当の画像（画素数１９２０×１０８０）の画像信号として生成して出力し、録画装置１０２へ送る。
【０００６】
録画装置１０２では、入力した４つの画像信号を４つの記録媒体１０２ａ〜記録媒体１０２ｄへそれぞれ録画する。
次に録画が終了した記録媒体１０２ａ〜記録媒体１０２ｄを録画装置１０２から取り出して再生装置１０３に装着する。
そして再生装置１０３により録画された画像信号を再生しプロジェクタ１０４において４つの画像信号を合成し１枚の高解像度画像として表示する。
【特許文献１】特開２００５−１８４４４１号公報
【発明の開示】
【発明が解決しようとする課題】
【０００７】
前記した従来の記録再生装置１００では、例えば、撮像装置１０１から録画装置１０２への伝送路の状態が部分的に悪く録画装置１０２に、図１０に示す分割した画像ｃｈ−ａ〜ｃｈ−ｄの画像信号のうち、図１１（Ａ）に示すようにｃｈ−ｃの画像信号ｃ３が欠落してそのままコマ落ちして記録されると、図１１（Ｂ）に示すようにｃｈ−ｃでは欠落した部分は再生されず次の画像信号ｃ４が再生され他の画像信号に比較しずれた状態となり、以後このずれたまま画像信号が再生されてしまい、図１２（Ａ）に示すように画像の欠落が無い場合は＃１〜＃５の各画像信号のフレーム順に従って合成されてずれの無い１画面の画像として表示されるが、図１２（Ｂ）に示すように画像の欠落が有る場合は＃３以降のｃｈ−ｃの画像信号による画像のフレーム順がずれて表示されてしまうという問題点があった。
この結果、コマ落ち発生以降の記録画像は使用できず、被写体の撮影機会を逃してしまうとか、再度撮影をし直さなければならないという問題点があった。
【０００８】
本発明は、このような従来の問題点に鑑みなされたものであり、複数の領域に分割された画像を記録する際に分割した画像の一部に記録できないフレーム（コマ落ち）が発生しても、再生時にはコマ落ちによる時間軸のずれの無い画像とする記録再生装置を提供することを目的とする。
【課題を解決するための手段】
【０００９】
本願発明における第１の発明は、１つの画像から分割された複数の分割画像を記録媒体に記録した際、前記記録された前記複数の分割画像の中に欠落画像がある場合に、前記欠落画像を他の画像に置換して再生する記録再生装置において、前記記録媒体に記録する際に前記複数の分割画像にタイムコードを付するタイムコード付加手段と、前記１つの画像から圧縮した画像を生成する画像生成手段と、前記記録媒体に記録されている前記複数の分割画像に付されている前記タイムコードを検出するタイムコード検出部と、前記タイムコード検出部で前記タイムコードが検出されない場合には、前記分割画像が欠落していると判断する判断手段と、前記判断手段で欠落している前記分割画像があると判断された場合には、前記欠落している前記分割画像を前記画像生成手段で生成された前記圧縮した画像の中の前記欠落している前記分割画像と同じ画像を前記欠落している前記分割画像の大きさまで拡大して置換する置換手段と、前記置換された画像と共に前記分割画像を再生する再生部と、を備えたことを特徴とする記録再生装置を提供する。
第２の発明は、１つの画像から分割された複数の分割画像を記録媒体に記録した際、前記記録された前記複数の分割画像の中に欠落画像がある場合に、前記欠落画像を他の画像に置換して再生する記録再生方法において、前記記録媒体に記録する際に前記複数の分割画像にタイムコードを付し、前記１つの画像から圧縮した画像を生成し、前記記録媒体に記録されている前記複数の分割画像に付されている前記タイムコードを検出し、前記タイムコードが検出されない場合には、前記分割画像が欠落していると判断し、前記欠落している前記分割画像があると判断された場合には、前記欠落している前記分割画像を前記画像の中の前記欠落している前記分割画像と同じ画像を前記欠落している前記分割画像の大きさまで拡大して置換し、前記置換された圧縮した画像と共に前記分割画像を再生することを特徴とする記録再生方法を提供する。
【発明の効果】
【００１０】
本発明によれば、前記判断手段で欠落している前記分割画像があると判断された場合には、前記欠落している前記分割画像を前記画像生成手段で生成された前記圧縮した画像の中の前記欠落している前記分割画像と同じ画像を前記欠落している前記分割画像の大きさまで拡大して置換する置換手段と、前記置換された画像と共に前記分割画像を再生する再生部と、を備えているので、複数の領域に分割された画像を記録する際に分割した画像の一部に記録できないフレーム（コマ落ち）が発生しても、再生時にはコマ落ちによる時間軸のずれの無い画像とすることができる。
【発明を実施するための最良の形態】
【００１１】
以下に本発明の実施形態に係る記録再生装置及び記録再生方法について図１〜図８を用いて説明する。
図１は、本発明の実施形態における記録再生装置の全体を示す図である。
図２は、画像信号の構成を示すための図である。
図３は、本発明の実施形態における画像のフレーム毎の経過を示す図であり、（Ａ）は記録再生装置に記録された記録画像を示す図であり、（Ｂ）は（Ａ）の記録画像を再生した後置き換えた置き換え補正再生画像を示す図であり、（Ｃ）は（Ａ）の記録画像を再生した未補正再生画像を示す図である。
図４は本発明の実施形態における記録再生装置の表示画像を示す図であり、（Ａ）は複数に分割したコマ落ちの無い画像を１つの画像に合成してフレーム毎に表示した画像を示す図であり、（Ｂ）はコマ落ちのある画像を再生した後置き換えた置き換え補正再生画像を示す図であり、（Ｃ）はコマ落ちのある記録画像を再生した未補正再生画像を示す図である。
図５は、本発明の他の実施形態における記録再生装置の全体の構成を示す図である。
図６は、画像信号の構成を示すための図である。
図７は、本発明の他の実施形態における画像のフレーム毎の経過を示す図であり、（Ａ）は記録再生装置に記録された記録画像を示す図であり、（Ｂ）は（Ａ）の記録画像を再生した後置き換えた置き換え補正再生画像を示す図であり、（Ｃ）は（Ａ）の記録画像を再生した未補正再生画像を示す図である。
図８は本発明の他の実施形態における記録再生装置の表示画像を示す図であり、（Ａ）は複数に分割したコマ落ちの無い画像を１つの画像に合成してフレーム毎に表示した画像を示す図であり、（Ｂ）はコマ落ちのある画像を次の画像で置き換えた置き換え補正再生画像を示す図であり、（Ｃ）はコマ落ちのある記録画像を再生した未補正再生画像を示す図である。
【００１２】
図１に示すように、本発明の実施形態における記録再生装置は、撮像部２と、４分割画像生成部３と、縮小画像生成部４と、タイムコード生成部５と、タイムコード付加部６と、送信部７と、伝送路８と、受信部９と、記録再生部１０と、タイムコード検出部１１と、判断部１２と、置き換え用画像生成部１３と、画像置き換え部１４と、表示部１５と、から構成される。
さらに、タイムコード付加部６はタイムコード付加部６ａ〜６ｅと、記録再生部１０は記録再生部１０ａ〜１０ｅと、タイムコード検出部１１はタイムコード検出部１１ａ〜１１ｅと、画像書き換え部１４は画像書き換え部１４ａ〜１４ｄと、を有する。
【００１３】
撮像部２は、被写体の光像を光電変換して高解像度画像を生成する。
４分割画像生成部３は、撮像部２で生成された高解像度画像を４分割し、並列に伝送で
きる４つの分割画像を生成する。
縮小画像生成部４は、撮像部２で生成された高解像度画像を、４分割画像生成部３で生成された４つの分割画像の一つと同じ画素数の画像に、縮小した縮小画像を生成する。
【００１４】
タイムコード生成部５は、画像のフレーム順に付加するタイムコードを生成する。
タイムコード付加部６は、４つの分割画像及び縮小画像にフレームごとに同じタイムコードを付加する。
【００１５】
送信部７は、タイムコードが付加された４つの分割画像及び１つの縮小画像をそれぞれ送信信号に変換する。
伝送路８は、送信部７から複数の送信信号を入力し受信部９へ伝送する。
受信部９は、伝送路８によって伝送された複数の送信信号を受信し４つの分割画像及び縮小画像に戻す。
【００１６】
記録再生部１０は、４つの分割画像及び縮小画像をそれぞれ個々に記録したのち、記録した個々の画像を、判断部１２で生成された再生タイミング信号に基づいて、それぞれ再生する。
タイムコード検出部１１は、再生された個々の画像からそれぞれの画像に付加されたタイムコードを検出する。
判断部１２は、検出されたタイムコードを収納して比較し、記録再生部１０で再生された４つの分割画像のタイムコードに不一致がある場合、不一致画像は繰り返し再生させ、タイムコードが一致している画像はそのまま順次再生させる、タイムコードを一致させるための再生タイミング信号を生成するとともに、不一致画像の置き換え信号を生成する。
【００１７】
置き換え用画像生成部１３は、不一致画像の置き換え信号に基づいて、不一致画像と等しい位置にある縮小画像を抽出し不一致画像と同じサイズの画像に拡大する。
画像置き換え部１４は、記録再生部１０で再生された不一致画像と、置き換え用画像生成部１３で不一致画像と等しい位置にあって抽出されて拡大された縮小画像と、を置き換え、タイムコードが一致している画像はそのまま用いることにより、タイムコードが一致した４つの分割画像として揃える。
表示部１５は、タイムコードが揃った４つの分割画像を、液晶やＣＲＴ等のディスプレイを用いて１つの画像として表示する。
【００１８】
次に、本発明の実施形態における動作について説明する。
図２に示すように、撮像部２で被写体の光像を、高解像度画像（例えば、ＨＤＴＶの４画面相当の画素数横３８４０×縦２１６０）に光電変換したのち、４分割画像生成部３により、高解像度画像を４分割してそれぞれがＨＤＴＶ１画面分相当の画素数（１９２０×１０８０）の４つの画像をｃｈ−ａ〜ｃｈ−ｄの並列画像に並び替えて、それぞれのフレームごとの画像信号（ｃｈ−ａはａ１，ａ２，．．，ｃｈ−ｂはｂ１，ｂ２，．．，ｃｈ−ｃはｃ１，ｃ２，．．，ｃｈ−ｄはｄ１，ｄ２，．．）を生成する。
一方、縮小画像生成部４において、撮像部２で生成された高解像度画像を、４分割画像生成部３で生成された４つの分割画像の一つと同じ画素数に縮小した縮小画像をフレームごとの画像信号（ｃｈ−ｅのｅ１，ｅ２，．．）として生成する。
【００１９】
次に、タイムコード生成部５では、画像のフレーム順に付加するタイムコードを生成し、タイムコード付加部６で、このタイムコードを４つの分割画像及び１つの縮小画像の画像信号にフレームごとに付加する。
そして、送信部７では、タイムコードが付加された４つの分割画像及び１つの縮小画像をそれぞれ送信信号に変換し、この送信信号を伝送路８で受信部９へ伝送する。
受信部９では、伝送路８によって伝送された複数の送信信号を受信し４つの分割画像及び縮小画像に戻す。
【００２０】
記録再生部１０では、４つの分割画像及び縮小画像をそれぞれ個々に記録する。
この時、図３（Ａ）に示すように、画像（ｃｈ−ｃ）のｃ３の画像信号が欠落（コマ落ち）している場合、画像（ｃｈ−ｃ）はｃ３の画像信号が欠落したまま記録再生部１０に記録される。
そのほかの欠落の無い画像（ｃｈ−ａ，ｃｈ−ｂ，ｃｈ−ｄ，ｃｈ−ｅ）は順次そのまま記録される。
【００２１】
次に、記録再生部１０で、個々に記録された４つの分割画像及び縮小画像をそれぞれ再生する。再生された画像は、タイムコード検出部１１により、個々の画像からそれぞれの画像に付加されたタイムコードが検出される。
そして、判断部１２でこの検出されたタイムコードを比較する。
図３（Ａ）に示すように画像（ｃｈ−ｃ）のｃ３の画像信号が欠落したまま記録したのち再生すると、図３（Ｃ）に示すように画像信号ｃ３の代わりに画像信号ｃ４が再生される。以後画像（ｃｈ−ｃ）の画像信号はｃ５，ｃ６と続けてずれたまま再生される。
【００２２】
この時、各フレームの画像信号に含まれるタイムコードを比較すると図３（Ｃ）に示すように再生された画像信号がａ３，ｂ３，ｃ４，ｄ３のときから不一致となりずれを生じるから、判断部１２からは、画像（ｃｈ−ｃ）のみ画像信号ｃ４の再生を繰り返してタイムコードを合わせる再生タイミング信号を生成し記録再生部１０に送る。
そうすると、タイムコードのずれたフレーム時に再生される画像信号はａ３，ｂ３，ｃ４，ｄ３とずれたままであるが、次のフレームでは再生タイミング信号により再生される画像信号は合わされて、画像信号がａ４，ｂ４，ｃ４，ｄ４となりタイムコードが一致する。
【００２３】
判断部１２からは、さらに再生された画像信号の不一致画像に対する置き換え信号が生成されて置き換え用画像生成部１３に加えられる。
この不一致画像の置き換え信号に基づいて、不一致画像信号ｃ４と等しい位置にある縮小画像ｃｈ−ｅの不一致画像部分を抽出して、縮小画像から不一致画像と同じ画像サイズに拡大した置き換え画像信号ｃ３ｅを生成し、画像置き換え部１４において画像ｃｈ−ｃの不一致画像信号ｃ４と縮小画像ｃｈ−ｅから生成した置き換え画像信号ｃ３ｅとを図３（Ｂ）に示すように置き換え、４つの分割画像のタイムコードをフレームごとに一致させてから表示部１５に供給する。
【００２４】
このようにして、図４（Ｃ）に示すような、表示部１５においてフレームのタイミングがずれた表示画像を、図４（Ｂ）に示すようなフレームのタイミングの合った表示画像とすることができる。
図４（Ｂ）の表示画像は、１フレーム期間における１／４の画像部分のみが図４（Ａ）の正常な表示画像に比較し低解像度となるが、一瞬であり、画像の位置ずれも無いため良好な再生画像として十分用いることができる。
【００２５】
次に、本発明の他の実施形態における動作について説明する。
図５に示すように、本発明の他の実施形態における記録再生装置１６は、図１の記録再生装置１に比較し、縮小画像生成部４と置き換え用画像生成部１３と置き換え部１４とを省略したものである。
従って、記録再生装置１と同じ名称については同じ動作である。
以下、図６〜図８を用いて記録再生装置１６の動作を説明する。  
【００２６】
図６に示すように撮像部２で被写体の光像を、高解像度画像（例えば、ＨＤＴＶ４画面相当の画素数横３８４０×縦２１６０）に光電変換したのち４分割画像生成部３により、４分割してそれぞれがＨＤＴＶ１画面分相当の画素数１９２０×１０８０の４つの画像をｃｈ−ａ〜ｃｈ−ｄの並列画像に並び替えて、それぞれのフレームごとの画像信号（ｃｈ−ａはａ１，ａ２，．．，ｃｈ−ｂはｂ１，ｂ２，．．，ｃｈ−ｃはｃ１，ｃ２，．．，ｃｈ−ｄはｄ１，ｄ２，．．）を生成する。
【００２７】
次に、タイムコード生成部５では、画像のフレーム順に付加するタイムコードを生成し、タイムコード付加部６で、このタイムコードを４つの分割画像及び１つの縮小画像の画像信号にフレームごとに付加する。
そして、送信部７では、タイムコードが付加された４つの分割画像をそれぞれ送信信号に変換し、この送信信号を伝送路８で受信部９へ伝送する。
受信部９では、伝送路８によって伝送された複数の送信信号を受信し、４つの分割画像に戻す。
【００２８】
記録再生部１０では、４つの分割画像をそれぞれ個々に記録する。
この時、図７（Ａ）に示すように、画像（ｃｈ−ｃ）のｃ３の画像信号が欠落（コマ落ち）している場合、画像（ｃｈ−ｃ）はｃ３の画像信号が欠落したまま記録再生部１０に記録される。そのほかの欠落の無い画像（ｃｈ−ａ，ｃｈ−ｂ，ｃｈ−ｄ）は順次そのまま記録される。
【００２９】
次に、記録再生部１０で、個々に記録された４つの分割画像をそれぞれ再生する。
再生された画像は、タイムコード検出部１１により、個々の画像からそれぞれの画像に付加されたタイムコードが検出される。
そして、判断部１２でこの検出されたタイムコードを比較する。
図７（Ａ）に示すように、画像（ｃｈ−ｃ）のｃ３の画像信号が欠落したまま記録して再生すると、図７（Ｃ）に示すように画像信号ｃ３の代わりに画像信号ｃ４が再生される。
以後の画像（ｃｈ−ｃ）の画像信号はｃ５，ｃ６と続けてずれたまま再生される。
【００３０】
この時、各フレームの画像信号に含まれるタイムコードを比較すると図７（Ｃ）に示すように再生された画像信号がａ３，ｂ３，ｃ４，ｄ３のときから不一致となりずれを生じるから、判断部１２からは、画像ｃｈ−ｃのみ画像信号ｃ４の再生を繰り返してタイムコードを合わせる再生タイミング信号を生成し記録再生部１０に送る。
そうすると、再生される画像信号がａ３，ｂ３，ｃ４，ｄ３の時はずれたままであるが、次のフレームでは再生タイミング信号により画像ｃｈ−ｃのタイムコードが修正されて次の画像信号がａ４，ｂ４，ｃ４，ｄ４となりタイムコードが一致する。
【００３１】
このようにして、図８（Ｃ）に示すような、表示部１５において表示されるフレームのタイミングがずれた表示画像を、図８（Ｂ）に示すような不一致部分の１フレーム分を除いてフレームのタイミングの合った表示画像とすることができる。
図８（Ｂ）の表示画像は、１フレーム期間における１／４の画像部分のみが図８（Ａ）の正常な表示画像に比較し、一瞬のフレームずれを生じるが、ほんの一瞬であるため無視しても問題はほとんどなく、良好な再生画像として十分用いることができる。
本発明の他の実施形態の記録再生装置１６によれば、本発明の実施形態の記録再生装置１に比較して、略同じ性能でしかも全体の構成を簡略化することが出来る。
【００３２】
本発明の実施形態及び他の実施形態においてのタイムコードは、ＨＤＴＶの基準クロックからフレーム信号ごとにタイミングを合わせて生成したフレーム番号としてもよい。また、時計カウンターをタイムコード生成部５に用いて生成した時刻コードを使用してもよい。
これらのタイムコードは、画像信号の帰線消去期間、或いは画像の先頭部分に画像範囲とは識別したコード範囲を設置して付加する。
【００３３】
なお、縮小画像の一部から置き換え画像信号を生成したが、コマ落ちの前後のフレームの画像信号（たとえば画像信号ｃ３の前後の画像信号ｃ２，ｃ４）と縮小画像とを使って動きの無い部分はコマ落ちの前後のフレームの画像信号から置き換え画像信号を生成し、動きのある部分は縮小画像を使って置き換え画像信号を生成しても良い。
このようにすれば、動きの無い部分の解像度低下はなくなり、表示される再生画像のコマ落ち時の画質向上が図れる。
【００３４】
また、置き換え画像の生成を記録再生装置内のハードウェアとして実現したが、各画像信号を一旦パーソナルコンピュータ（ＰＣ）等へ画像データとして取り込み、ＰＣ上で置き換え画像処理を時間をかけて十分行うことによりコマ落ち画像を高性能に置き換えることが出来る画像信号を生成して、記録再生装置に再び戻しても良い。
【００３５】
以上、述べてきたように本発明の実施形態及び他の実施形態によれば、分割画像信号および縮小画像信号をタイムコードと共に記録し、再生時には、タイムコードを参照することで分割画像信号のコマ落ちを検出し、コマ落ちの発生した画像信号に対しては、記録再生部からの読み出しを制御したり、縮小画像信号から置き換え用画像信号を生成してこれをコマ落ちしたフレームの代わりに用いたりすることで、コマ落ち発生以降の時間ずれの無い画像信号を得ることが出来る。
【図面の簡単な説明】
【００３６】
【図１】本発明の実施形態における記録再生装置の全体の構成を示す図である。
【図２】画像信号の構成を示すための図である。
【図３】本発明の実施形態における画像のフレーム毎の経過を示す図であり、（Ａ）は記録再生装置に記録された記録画像を示す図であり、（Ｂ）は（Ａ）の記録画像を再生した後置き換えた置き換え画像を示す図であり、（Ｃ）は（Ａ）の記録画像を再生した未置き換え再生画像を示す図である。
【図４】本発明の実施形態における記録再生装置の表示画像を示す図であり、（Ａ）は複数に分割したコマ落ちの無い画像を１つの画像に合成してフレーム毎に表示した画像を示す図であり、（Ｂ）はコマ落ちのある画像を再生した後置き換えた置き換え画像を示す図であり、（Ｃ）はコマ落ちのある記録画像を再生した未補間再生画像を示す図である。
【図５】本発明の他の実施形態における記録再生装置の全体の構成を示す図である。
【図６】画像信号の構成を示すための図である。
【図７】本発明の他の実施形態における画像のフレーム毎の経過を示す図であり、（Ａ）は記録再生装置に記録された記録画像を示す図であり、（Ｂ）は（Ａ）の記録画像を再生した後補間した補間画像を示す図であり、（Ｃ）は（Ａ）の記録画像を再生した未補間再生画像を示す図である。
【図８】本発明の他の実施形態における記録再生装置の表示画像を示す図であり、（Ａ）は複数に分割したコマ落ちの無い画像を１つの画像に合成してフレーム毎に表示した画像を示す図であり、（Ｂ）はコマ落ちのある画像を次の画像で置き換えた置き換え画像を示す図であり、（Ｃ）はコマ落ちのある記録画像を再生した未補間再生画像を示す図である。
【図９】従来の記録再生装置の構成を説明するための図である。
【図１０】画像信号の構成を示すための図である。
【図１１】従来の記録再生装置の画像のフレーム毎の経過を示す図であり、（Ａ）は記録再生装置に記録された記録画像を示す図であり、（Ｂ）は（Ａ）の記録画像を再生した再生画像を示す図である。
【図１２】従来の記録再生装置の表示画像を示す図であり、（Ａ）は複数に分割したコマ落ちの無い画像を１つの画像に合成してフレーム毎に表示した画像を示す図であり、（Ｂ）はコマ落ちのある画像を示す図である。
【符号の説明】
【００３７】
１・・・記録再生装置、２・・・撮像部、３・・・４分割画像生成部、４・・・縮小画像生成部（画像生成手段）、５・・・タイムコード生成部（タイムコード付加手段）、６，６ａ，６ｂ，６ｃ，６ｄ，６ｅ・・・タイムコード付加部、７・・・送信部、８・・・伝送路、９・・・受信部、１０，１０ａ，１０ｂ，１０ｃ，１０ｄ，１０ｅ・・・記録再生部、１１，１１ａ，１１ｂ，１１ｃ，１１ｄ，１１ｅ・・・タイムコード検出部、１２・・・判断部（判断手段）、１３・・・置き換え用画像生成部、１４，１４ａ，１４ｂ，１４ｃ，１４ｄ・・・画像置き換え部（置換手段）、１５・・・表示部（再生部）、１６・・・記録再生装置、１００・・・記録再生装置、１０１・・・撮像装置、１０２・・・録画装置、１０２ａ，１０２ｂ，１０２ｃ，１０２ｄ・・・記録媒体、１０３・・・再生装置、１０４・・・プロジェクタ、１０５・・・撮像部、１０６・・・４分割画像生成部
【図１】
2007172789.tif 000003
【図２】
2007172789.tif 000004
【図３】
2007172789.tif 000005
【図４】
2007172789.tif 000006
【図５】
2007172789.tif 000007
【図６】
2007172789.tif 000008
【図７】
2007172789.tif 000009
【図８】
2007172789.tif 000010
【図９】
2007172789.tif 000011
【図１０】
2007172789.tif 000012
【図１１】
2007172789.tif 000013
【図１２】
2007172789.tif 000014